(57)【要約】【課題】簡易な製造工程によって製造でき、レッグサイドギャザーを着用者側に立ち上げ易くすることができる吸収性物品を提供する。【解決手段】吸収性物品１は、吸収体の前後方向両端部に位置する幅広部４１と幅広部よりも前後方向内側に位置する幅狭部４２とを有する吸収体４０を備える。レッグサイド弾性部材３３の一部は、吸収体の幅狭部よりも幅方向外側に配置されている。吸収性本体と外装体は、幅広部の幅方向外側端部よりも幅方向内側かつ吸収体の幅狭部の幅方向外側端部において接合されている。外装体は、幅狭部の幅方向外側端部を跨がって配置され、かつ外装体と吸収性本体とが接合された領域を幅方向に収縮する後脚回り弾性部材５Ｒを備える。【選択図】図２
2014108270.tif 000002
【特許請求の範囲】
【請求項１】
着用者の身体前側と身体後側とに延びる前後方向、前記前後方向に直交する幅方向、前記着用者に向かう内方向、及び前記内方向と反対側に向かう外方向を有する吸収体を有する吸収性本体と、前記吸収性本体よりも外方向に配置される外装体と、を備え、
前記着用者の股間部に当てられる股下領域と、前記股下領域の前方に配置される前胴回り領域と、前記股下領域の後方に配置される後胴回り領域と、を備える吸収性物品であって、
前記吸収性本体は、前記前後方向に沿って伸縮するサイドギャザー弾性部材を有する起立性のレッグサイドギャザーを備えており、
前記吸収体は、前記吸収体の前記前後方向両端部に位置する幅広部と、前記幅広部よりも前後方向内側に位置し、かつ前記吸収体の幅方向の長さが前記幅広部よりも短い幅狭部と、を有し、
前記サイドギャザー弾性部材の一部は、前記吸収体の前記幅狭部よりも前記幅方向外側に配置されており、
前記吸収性本体と前記外装体は、前記吸収体の前記幅広部の幅方向外側端部よりも幅方向内側かつ前記吸収体の前記幅狭部の幅方向外側端部において接合されており、
前記外装体は、前記吸収体の前記幅狭部の前記幅方向外側端部を跨がって配置され、かつ前記外装体と前記吸収性本体とが接合された領域を前記幅方向に収縮する外装弾性部材を備える、吸収性物品。
【請求項２】
前記外装弾性部材は、前記吸収性物品の前記前後方向中心よりも後胴回り域側に配置されている、請求項１に記載の吸収性物品。
【請求項３】
前記外装弾性部材は、前記幅狭部に重なって配置された重畳部と、前記幅狭部よりも幅方向外側に位置する非重畳部と、を有しており、
前記非重畳部の伸長率は、前記重畳部の伸長率よりも高い、請求項１又は請求項２に記載の吸収性物品。
【請求項４】
前記外装弾性部材は、前記幅狭部の前記幅方向外側端部に対して略９０度で交差している、請求項１から請求項３のいずれかに記載の吸収性物品。
【請求項５】
前記吸収体の肌当接面側には、表面シートが配置されており、
前記表面シートは、前記吸収体の幅方向外側端部を覆い、かつ前記吸収体の非肌当接面側に延出しており、
前記表面シートは、前記吸収体の非肌当接面側において前記外装体又は前記吸収性本体を構成するシート材に接合されている、請求項１から請求項４のいずれかに記載の吸収性物品。
【請求項６】
前記外装弾性部材は、前記脚回り開口部に沿って配置される脚回り弾性部材を構成する、請求項１から請求項５のいずれかに記載の吸収性物品。
【発明の詳細な説明】
【技術分野】
【０００１】
本発明は、脚回り開口部よりも幅方向内側に配置され、吸収体の幅方向側部において前後方向に伸縮するレッグサイドギャザーを有する吸収性物品に関する。
【背景技術】
【０００２】
特許文献１には、脚回り開口部よりも幅方向内側において前後方向に伸縮するレッグサイドギャザーが設けられた吸収性物品が開示されている。レッグサイドギャザーは、吸収体よりも幅方向外側に延出した本体フラップと、本体フラップに固定された弾性部材と、によって構成されている。レッグサイドギャザーは、弾性部材が収縮することにより、吸収体の側部において着用者側に立ち上がるように構成されている。
【先行技術文献】
【特許文献】
【０００３】
【特許文献１】特許第３１８７１１０号公報
【発明の概要】
【発明が解決しようとする課題】
【０００４】
しかし、特許文献１の吸収性物品には、以下の問題点があった。
【０００５】
特許文献１の吸収体は、平面視にて砂時計形状である。吸収体の幅は、前後方向中央において最も狭く、前後方向中央から前後方向端部に向かって広くなっている。すなわち、吸収体の幅方向外側端部の形状は、前後方向中央から前後方向外側に向かうにつれて幅方向内側から幅方向外側に向かう曲線形状である。一方、レッグサイドギャザーを構成する弾性部材は、前後方向に沿って配置された直線形状である。
【０００６】
よって、吸収体とレッグサイドギャザーとの距離が吸収体の前後方向で一定でなく、レッグサイドギャザーの着用者側に立ち上がる高さが変化する。また、吸収体の前後方向中央におけるレッグギャザーは、着用者の脚繰り沿って配置されるため、吸収体とレッグサイドギャザーとの距離が縮まり易い。しかし、着用者の脚繰りに当たらない部分では、吸収体とレッグギャザーとの距離が縮まり難く、着用者側に立ち上がり難いことがあった。レッグギャザーが着用者側に十分に立ち上がらないと、横漏れが発生するおそれがある。
【０００７】
また、レッグサイドギャザーを構成する弾性部材の伸長率を変化させて、レッグサイドギャザーの立ち上がる高さを調整することが考えられる。しかし、弾性部材の伸縮率を変化させようとすると、製造工程での細かい調整が必要となり、製造工程が複雑化するおそれがある。
【０００８】
そこで、本発明は、簡易な製造工程によって製造でき、レッグサイドギャザーを着用者側に立ち上げ易くすることができる吸収性物品を提供することを目的とする。
【課題を解決するための手段】
【０００９】
本発明に係る吸収性物品は、着用者の身体前側と身体後側とに延びる前後方向、前記前後方向に直交する幅方向、前記着用者に向かう内方向、及び前記内方向と反対側に向かう外方向を有する吸収体を有する吸収性本体と、前記吸収性本体よりも外方向に配置される外装体と、を備え、前記着用者の股間部に当てられる股下領域と、前記股下領域の前方に配置される前胴回り領域と、前記股下領域の後方に配置される後胴回り領域と、を備える吸収性物品であって、前記吸収性本体は、前記前後方向に沿って伸縮するレッグサイド弾性部材を有する起立性のレッグサイドギャザーを備えており、前記吸収体は、前記吸収体の前記前後方向両端部に位置する幅広部と、前記幅広部よりも前後方向内側に位置し、かつ前記吸収体の幅方向の長さが前記幅広部よりも短い幅狭部と、を有し、前記レッグサイド弾性部材の一部は、前記吸収体の前記幅狭部よりも前記幅方向外側に配置されており、前記外装体と前記吸収性本体は、前記吸収体の前記幅広部の幅方向外側端部よりも幅方向内側かつ前記吸収体の前記幅狭部の幅方向外側端部において接合されており、前記外装体は、前記吸収体の前記幅狭部の前記幅方向外側端部を跨がって配置され、かつ前記外装体と前記吸収性本体とが接合された領域を前記幅方向に収縮する外装弾性部材を備えることを要旨とする。
【発明の効果】
【００１０】
本開示によれば、簡易な製造工程によって製造でき、レッグサイドギャザーを着用者側に立ち上げ易くすることができる吸収性物品を提供することができる。
【図面の簡単な説明】
【００１１】
【図１】実施の形態１に係る使い捨ておむつの概略斜視図である。
【図２】実施の形態１に係る使い捨ておむつの展開平面図である。
【図３】図２に示すＸ１-Ｘ’１線に沿った使い捨ておむつの幅方向断面図である。
【図４】図２に示すＸ２-Ｘ’２線に沿った使い捨ておむつの幅方向断面図である。
【図５】レッグサイドギャザーの変形状態を説明するための図である。
【発明を実施するための形態】
【００１２】
次に、実施の形態に係る吸収性物品としての使い捨ておむつ１について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれ得る。
【００１３】
まず、図１から図４に基づいて吸収性物品としての使い捨ておむつの全体構成について説明する。図１は、本実施の形態において使い捨ておむつを構成する使い捨ておむつ１の概略斜視図である。図２は、本実施の形態に係る使い捨ておむつ１の展開平面図である。図３は、図２に示すＸ１−Ｘ’１線に沿った使い捨ておむつ１の幅方向断面図である。図４は、図２に示すＸ２−Ｘ’２線に沿った使い捨ておむつ１の幅方向断面図である。使い捨ておむつ１は、パンツ型の使い捨ておむつである。
【００１４】
使い捨ておむつ１は、着用者の身体前側と身体後側とに延びる前後方向Ｌと、前後方向Ｌに直交する幅方向Ｗと、着用者に向かう内方向ＩＮ及び内方向と反対側に向かう外方向ＯＵＴを有する厚み方向Ｔと、を有する。
【００１５】
使い捨ておむつ１は、図２に示すように、使い捨ておむつ１の前後方向において、着用者の前胴回りに当てられる前胴回り領域Ｓ１と、着用者の後胴回りに当てられる後胴回り領域Ｓ２と、着用者の股下に当てられ、前胴回り領域Ｓ１と後胴回り領域Ｓ２との間に位置する股下領域Ｓ３と、を有する。
【００１６】
前胴回り領域Ｓ１の幅方向Ｗ外側に位置する前胴回り縁部４が、後胴回り領域Ｓ２の幅方向Ｗの外側に位置する後胴回り縁部６と接合され、かつ前胴回り縁部４’が、後胴回り縁部６’と接合されることによって、使い捨ておむつ１がパンツ型に形成される。パンツ型の使い捨ておむつの前胴回り領域及び後胴回り領域には、互いの縁部が接合された接合部１１が形成されており、股下領域Ｓ３は、接合部１１よりも前後方向内側の領域である。
【００１７】
使い捨ておむつ１には、図１に示すように、パンツ型に形成された状態で、着用者の腰回りを囲んで配置される腰回り開口部８と、着用者の脚回りを囲んで配置される一対の脚回り開口部９と、が形成される。
【００１８】
使い捨ておむつ１は、表面シート１０、吸収体４０及び吸収体裏面シート３０等を含む吸収性本体１Ａと、前側外装シート７０Ｆ、後側外装シート７０Ｒ等を含む外装体１Ｂと、から構成されており、これらは互いに、接着剤や熱融着などによって接合されている。
【００１９】
外装体１Ｂは、前胴回り域と股下領域とに跨って配置される前側外装シート７０Ｆと、後胴回り域と股下領域とに跨って配置される後側外装シート７０Ｒと、前胴回り域から後胴回り域に亘って配置される外装センターシート１００と、を含み、使い捨ておむつ１の外装部分を構成する。外装体１Ｂは、吸収体４０を含む吸収性本体１Ａよりも外方向ＯＵＴに位置し、使い捨ておむつの非肌当接側の面に配置される。
【００２０】
前側外装シート７０Ｆは、前胴回り領域Ｓ１と股下領域Ｓ３とに跨がって配置されており、使い捨ておむつの前側端部において幅方向に沿った折り目を基点に内方向に折り返されている。前側外装シート７０Ｆの折り返されたシート間には、外装センターシート１００が配置されている。後側外装シート７０Ｒは、後胴回り領域Ｓ２と股下領域Ｓ３とに跨がって配置されており、使い捨ておむつの後側端部において幅方向に沿った折り目を基点に内方向に折り返されている。後側外装シート７０Ｒの折り返されたシート間には、外装センターシート１００が配置されている。
【００２１】
前側外装シート７０Ｆ及び後側外装シート７０Ｒは、エアスルー不織布、スパンボンド不織布、ＳＭＳ不織布、防水フィルムなどによって形成できる。本実施の形態に係る前側外装シート７０Ｆ及び後側外装シート７０Ｒは、ポリプロピレンからなる目付２０g/m2のスパンボンド不織布によって形成されている。
【００２２】
外装センターシート１００は、前側外装シート７０Ｆと、後側外装シート７０Ｒとを繋ぐ。よって、前側外装シート及び後側外装シートが前後方向に離間する形態において、吸収性本体１Ａがむき出しになることを防止することができる。更に、製造過程において、離間した前側外装体と後側外装体とを連結した状態で、脚回り開口部を形成したり、吸収性本体１Ａと貼り合わせたりすることができる。
【００２３】
外装センターシート１００は、エアスルー不織布、スパンボンド不織布、ＳＭＳ不織布、防水フィルムなどによって形成できる。本実施の形態に係る外装センターシート１００は、ポリプロピレンからなる目付１５g/ m2のＳＭＳ不織布によって形成されている。
【００２４】
吸収性本体１Ａは、表面シート１０、吸収体裏面シート及びレッグサイドギャザーを含み、外装体１Ｂよりも着用者側に配置される。
【００２５】
表面シート１０は、着用者の肌に直接的に接し得る肌当接面を形成するシートである。表面シート１０は、吸収体４０よりも肌当接面側に配置される。表面シート１０は、親水性不織布や織物、開口プラスチックフィルム、開口疎水性不織布などの液透過性のシートによって形成されている。本実施の形態に係る表面シート１０は、ポリプロピレンからなる目付２０ｇ/ｍ２の親水性スパンボンド不織布によって形成されている。表面シート１０は、吸収体４０の肌当接側の面よりも幅方向両側に延出し、吸収体の幅方向外側端部を覆って吸収体の非肌当接面側に到達している。
【００２６】
表面シート１０の非肌当接面側には、セカンドシートが設けられていてもよい。セカンドシートを設けることにより、体液の吸収速度を速くすることができ、かつ吸収後における体液の逆戻りを抑制することができる。
【００２７】
吸収体４０は、表面シート１０と、吸収体裏面シート３０との間にホットメルト型接着剤によって接合される。ホットメルト型接着剤は、複合シート及び裏面シートにそれぞれ塗工され、例えば、スパイラル塗工方法により、それぞれ目付5g/m2，8g/m2で塗られる。
【００２８】
吸収体４０は、粉砕パルプや高吸収性ポリマーなどの混合粉体で形成される。平面視にて、吸収体４０の形状は、略砂時計形状である。
【００２９】
吸収体４０は、吸収性コアの前後方向両端部に位置する幅広部４１と、幅広部４１よりも幅方向内側に位置し、吸収体の幅方向の長さが幅広部よりも短い幅狭部４２と、を有する。図２において、幅広部４１と幅狭部４２の境界に一点鎖線を付して示す。
【００３０】
なお、幅広部４１は、吸収体の幅が最も長い領域を含んでいればよく、吸収体の幅が最も広い領域よりも前後方向外側に吸収体４０の幅が短くなる領域がある場合には、当該領域も幅広部に含む概念である。幅狭部４２は、吸収体の幅が最も短い領域を含んでいればよく、幅広部よりも前後方向内側において吸収体の幅が徐々に短くなる領域も含む概念である。
【００３１】
吸収体裏面シート３０は、吸収体４０の非肌当接面側に設けられている。吸収体裏面シート３０は、液不透過性フィルムなど（例えば、ポリエチレン）のシートによって形成されている。吸収体裏面シート３０は、吸収体よりも外方向ＯＵＴに配置され、かつ液不透過性である。吸収体裏面シート３０は、吸収体４０よりも前後方向外側に延出して配置されている。
【００３２】
レッグサイドギャザーは、起立性のギャザーである。レッグサイドギャザーは、防漏サイドシート３２と、サイドギャザー弾性部材と、を有する。サイドギャザー弾性部材は、レッグサイド弾性部材３３と、股下弾性部材３４と、を有する。吸収体４０の幅方向端部において前後方向に沿って配置されている。防漏サイドシート３２は、吸収体４０の幅方向Ｗの両側端に配置されている。防漏サイドシート３２は、液不透過性の不織布などのシートによって形成されている。防漏サイドシート３２の幅方向の一方の端部は、吸収体の非肌当接面側に折り返された表面シートに接合されており、防漏サイドシート３２の幅方向の他方の端部は、吸収体４０の幅方向側部から表面シート側に折り返され、表面シート１０の肌当接面側の面に接合されている。
【００３３】
防漏サイドシート３２は、吸収性本体１Ａの前後方向両端部においてホットメルト接着剤によって表面シート等に接合されている。防漏サイドシート３２は、吸収性本体１Ａの前後方向中央部において表面シート等に接合されてなく、表面シートから着用者側に立ち上がって配置される。図２に示す断面においては、レッグサイドギャザー３０が表面シートに接合されてなく、表面シートから着用者側に立ち上がって配置されている。図３に示す断面においては、レッグサイドギャザー３０が表面シートに接合されていないが、レッグサイドギャザーは、表面シート１０に沿って配置されている。図３に示す断面においては、レッグサイドギャザー３０は、着用者の臀部等によって押圧されて、表面シート１０に沿って配置される。
【００３４】
レッグサイド弾性部材３３は、折り返された防漏サイドシート３２間に配置されている。レッグサイド弾性部材は、左右に離間して配置された防漏サイドシート３２の幅方向内側端部において、前後方向に沿って２本ずつ配置されている。レッグサイド弾性部材３３の少なくとも一部は、吸収体の幅狭部４２よりも幅方向外側に配置されている。レッグサイド弾性部材が前後方向に収縮することにより、レッグサイドギャザーが着用者側に立ち上がる。このレッグサイドギャザーの収縮状態については、後述にて詳細に説明する。
【００３５】
股下弾性部材３４は、折り返された防漏サイドシート３２間に配置されている。股下弾性部材３４は、レッグサイド弾性部材３３よりも幅方向外側に位置し、前後方向に沿って２本ずつ配置されている。
【００３６】
本実施の形態のレッグサイド弾性部材３３は、６２０ｄｔｅｘの太さ、３．０倍の伸長倍率で、左右２本ずつ伸長固定される。股下弾性部材３４は、４７０ｄｔｅｘの太さ、２．７倍の伸長倍率で、左右２本ずつ伸長固定される。
【００３７】
前胴回り領域Ｓ１及び後胴回り領域Ｓ２には、ウエストギャザー及び胴回りギャザーが設けられる。ウエストギャザー及び胴回りギャザーは、吸収体４０の幅方向Ｗに沿って伸縮するように配設される合成ゴムなどの細長いウエスト弾性部材３Ａ及び胴回り弾性部材７Ａを有する。ウエスト弾性部材３Ａ及び胴回り弾性部材７Ａは、使い捨ておむつ１の幅方向Ｗに対して伸長された状態で接着剤（例えばホットメルト接着剤）によって、前側外装シート７０Ｆと外装センターシート１００の間、及び後側外装シート７０Ｒと外装センターシート１００の間に接合されている。
【００３８】
ウエストギャザー及び胴回りギャザーは、前胴回り領域Ｓ１における吸収性物品１の幅方向Ｗ外側に位置する一方の前胴回り縁部４から他方の前胴回り縁部４‘まで連続し、後胴回り領域Ｓ２における吸収性物品１の幅方向Ｗ外側に位置する一方の後胴回り縁部６から他方の後胴回り縁部６‘まで連続する。
【００３９】
脚回り開口部９の周囲には、レッグギャザー５が設けられる。レッグギャザーは、伸縮するように配設される合成ゴムなどの細長い脚回り弾性部材によって形成されている。脚回り弾性部材は、前胴回り領域Ｓ１と股下領域Ｓ３に跨って配置された前脚回り弾性部材５Ｆと、後胴回り領域Ｓ２と股下領域Ｓ３に跨って配置された後脚回り弾性部材５Ｒと、によって構成されている。
【００４０】
後脚回り弾性部材５Ｒは、幅方向に延びる直線状の直線部５２と、直線部５２よりも幅方向両外側に位置し、かつ幅方向内側から幅方向外側に向かって前後方向内側である前側から前後方向外側である後側に延びる曲線状の曲線部５３と、を有する。直線部５２は、胴回り弾性部材に沿って配置されている。曲線部５３は、脚回り開口部９に沿って配置されている。
【００４１】
後脚回り弾性部材５Ｒの直線部５２は、吸収体の幅狭部４２の幅方向外側端部を横断するように吸収体に重なっている。なお、直線部５２と幅狭部４２の幅方向外側端部とが重なっている状態とは、直線部５２と幅狭部４２の幅方向外側端部とが接した状態で重なっている状態のみならず、本実施の形態のように、外装センターシート１００等、他の部材を介して重なっている状態も含む概念である。後脚回り弾性部材５Ｒは、本発明の外装弾性部材を構成する。
【００４２】
幅広部４１の幅方向外側端部よりも幅方向内側かつ幅狭部の幅方向外側端部よりも幅方向外側には、外装弾性部材としての後脚回り弾性部材５Ｒによって幅方向に収縮する収縮領域Ｒ１が設けられている。収縮領域Ｒ１は、吸収性本体１Ａが配置された領域のうち、幅狭部の幅方向外側端部よりも幅方向外側において後脚回り弾性部材５Ｒの直線部５２によって幅方向に収縮する領域である。
【００４３】
外装体１Ｂと吸収性本体２Ａは、吸収体の幅広部の幅方向外側端部よりも幅方向内側かつ吸収体の幅狭部の幅方向外側端部において接合されている。この接合された領域は、図２に示す収縮領域Ｒ１である。より具体的には、吸収性本体の防漏サイドシート３２及び吸収体裏面シート３０と、外装センターシート１００とが接合されている。本実施の形態では、ホットメルト型接着剤によって接着されている。図２及び図３において、ホットメルト型接着剤が塗布された接着領域９０を図示する。
【００４４】
外装弾性部材としての後脚回り弾性部材５Ｒは、吸収体４０の幅狭部４２の幅方向外側端部を跨がって配置され、かつ外装体と吸収性本体とが接合された領域を収縮するように構成されている。
【００４５】
幅狭部４２の幅方向両端部を跨がって後脚回り弾性部材５Ｒが配置されているため、幅狭部４２よりも幅方向外側の領域において外装体１Ｂを幅方向に収縮できる。この収縮領域Ｒ１において、外装体１Ｂと吸収性本体１Ａとは接合されている。よって、外装体１Ｂの収縮に伴い、吸収性本体１Ａの幅狭部４２よりも幅方向外側の収縮領域Ｒ１が収縮する。
【００４６】
図５は、レッグサイドギャザーの変形状態を説明するための図である。図３の断面図において、後脚回り弾性部材５Ｒの直線部によって収縮領域Ｒ１が収縮した状態を模式的に示した図である。図５（ａ）は、後脚回り弾性部材５Ｒによって幅方向に収縮する前の状態を示しており、図５（ｂ）は、後脚回り弾性部材５Ｒによって幅方向に収縮した状態を示している。
【００４７】
レッグサイド弾性部材３３は、吸収体４０の幅方向端部に配置されている。レッグサイド弾性部材３３が収縮する前の状態（レッグサイド弾性部材３３が伸長した状態）において、幅狭部４２よりも幅方向外側の領域には、サイドギャザー弾性部材の少なくとも一部が配置されている。よって、外装体１Ｂの収縮に伴い、吸収性本体１Ａの幅狭部４２よりも幅方向外側の収縮領域Ｒ１が収縮することにより、幅狭部よりも幅方向外側に位置するサイドギャザー弾性部材と幅狭部４２の幅方向外側端部との距離が近づく。幅狭部４２よりも幅方向外側の領域が幅方向に収縮するため、幅狭部よりも幅方向外側に位置するサイドギャザー弾性部材が着用者側に押し上げられ、立ち上がりやすくなる。よって、レッグサイドギャザーを着用者側に立ち上げ易くすることができる。
【００４８】
レッグサイドギャザーは、着用者の脚繰りが当たるため、吸収体の幅が最も狭い部分において最も立ち上がりやすい。しかし、レッグサイドギャザーは、当該吸収体の幅が最も狭い部分から前後方向にずれるに従って立ち上がり難くなる。特に、背側においては、着用者の臀部によってレッグサイドギャザーが潰れ、レッグサイドギャザーを立ち上げ難くなりやすい。しかし、最も吸収体の幅が狭い部分よりも後方に位置する幅狭部近傍のレッグサイドギャザーを立ち上げ易くすることにより、吸収体の幅が最も狭い部分におけるレッグサイドギャザーの立ち上がり状態と背側におけるレッグサイドギャザーの立ち上がり状態を近づけることができ、レッグサイドギャザーの立ち上がりを同一の高さに近づけることができる。
【００４９】
また、後脚回り弾性部材５Ｒによって外装体を幅方向に収縮させてレッグサイドギャザーを立ちあげることができるため、レッグサイドギャザーを構成するサイドギャザー弾性部材の伸長率を変化させるために、サイドギャザー弾性部材の伸長率を部分的に変更する必要性がなく、簡易な製造工程によって製造できる。なお、本実施の形態に係る各サイドギャザー弾性部材の伸長率は、前後方向において略一定である。
【００５０】
なお、本実施の形態では、吸収性物品の前後方向中心よりも後胴回り域側に位置する後脚回り弾性部材によって収縮領域を収縮するように構成しているが、吸収性物品の前後方向中心よりも前胴回り域側に位置する前脚回り弾性部材によって収縮領域を収縮するように構成していてもよい。
【００５１】
しかし、特に、臀部側のレッグサイドギャザーは、特に寝姿勢の場合、臀部によって押圧され、レッグサイドギャザーが立ち上がり難くなることがあるため、当該構成を好適に用いることができる。
【００５２】
後脚回り弾性部材５Ｒは、幅狭部４２に重なって配置された重畳部４３と、幅狭部４２よりも幅方向外側に位置する非重畳部４４と、を有しており、非重畳部４４の伸長率は、重畳部４３の伸長率よりも高い。具体的には、後脚回り弾性部材５Ｒの重畳部４３の伸長率は、１．４倍であり、後脚回り弾性部材５Ｒの非重畳部４４の伸長率は、２．３倍である。
【００５３】
幅狭部４２よりも幅方向外側に位置する非重畳部４４における後脚回り弾性部材５Ｒの伸長率を高く設定しているため、幅狭部４２よりも幅方向外側においてレッグサイドギャザー３０を立ち上げることができ、かつ幅狭部４２よりも幅方向外側において外装体１Ｂを着用者に密着させて、着用者と使い捨ておむつとの隙間を低減できる。また、幅狭部４２に重なって配置された重畳部４３における後脚回り弾性部材５Ｒの伸長率が高過ぎると、後脚回り弾性部材５Ｒの伸縮力によって吸収体が変形してしまうおそれがある。しかし、幅狭部４２に重なって配置された重畳部４３における後脚回り弾性部材５Ｒの伸長率を低く設定することにより、吸収体の変形やよれを抑制できる。
【００５４】
外装弾性部材としての後脚回り弾性部材５Ｒは、幅狭部の幅方向外側端部に対して略９０度で交差している。すなわち、図２に示す平面視において、後脚回り弾性部材５Ｒと幅狭部の幅方向外側端部とがなす角度が略９０度である。なお、略９０度とは、９０度のみならず、９０度−５度から９０度＋５度の範囲内であり、８５度から９５度の範囲内を含むものである。
【００５５】
例えば、後脚回り弾性部材５Ｒと幅狭部の幅方向外側端部とがなす角度が３０度等の鋭角であると、後脚回り弾性部材５Ｒの収縮力が幅方向に作用し難く、収縮領域を幅方向に収縮させて着用者側にレッグサイドギャザーを立ち上げ難くなることがある。しかし、後脚回り弾性部材５Ｒと幅狭部の幅方向外側端部とがなす角度が略９０度であると、後脚回り弾性部材５Ｒの収縮力が幅方向に作用し易いため、収縮領域を幅方向に収縮させて着用者側にレッグサイドギャザーを立ち上げ易くなる。
【００５６】
表面シート１０は、吸収体４０の幅方向外側端部を覆い、かつ吸収体の非肌当接面側に延出しており、表面シート１０は、吸収体４０の非肌当接面側において外装体１Ｂ又は吸収性本体を構成するシート材に接合されている。本実施の形態で、表面シート１０は、吸収体４０の非肌当接面側においてホットメルト型接着剤の接着領域９０を介して、外装体１Ｂを構成する外装センターシート１００に接合されている。
【００５７】
表面シートが吸収体４０の端部を覆い、かつ吸収体の非肌当接面側において接合されているため、吸収体の端部の剛性を高めることができる。レッグサイドギャザーは、吸収体に対して立ち上がるように構成されており、吸収体の剛性を高めることにより、立ち上がり基点の剛性を高めて、レッグサイドギャザーを立ち上がり易くできる。
【００５８】
後脚回り弾性部材５Ｒの曲線部５３は、吸収体４０よりも幅方向外側に配置されている。後脚回り弾性部材５Ｒの曲線部５３は、吸収体と厚み方向において重ならないように配置されている。後脚回り弾性部材５Ｒの曲線部５３の伸長率は、後脚回り弾性部材５Ｒの直線部５２の伸長率よりも高い。具体的には、直線部の伸長率は、１．２〜１．６倍であり、曲線部の伸長率は、２．１〜２．５倍である。
【００５９】
なお、本実施の形態における伸長率とは、使い捨ておむつの伸長させた伸長状態における伸長率である。また、伸長率は、例えば、以下の方法によって測定できる。
【００６０】
弾性部材を伸長させた状態で製品を固定し、直線部(インナー幅方向両端部間)及び曲線部(係止の内側から前記インナー幅方向両端部)の寸法を測定する(この寸法をIとする)。前記記載した直線部及び曲線部に印を入れた後、弾性部材部分にて製品をカットする。ホットメルト等の付着物を完全に取り除いた後、ものさしにて非伸長状態の弾性部材を真直ぐに置いた状態で寸法を測定する(この寸法をIIとする)。I/IIの計算値を伸長率とする。
【００６１】
なお、伸長状態とは、第１弾性部材としての後脚回り弾性部材５７及び第２弾性部材としての第２弾性部材が伸長した状態であり、具体的には、使い捨ておむつを所定の円筒に装着した状態である。
【００６２】
円筒の寸法は、以下のように設定できる。まず、使い捨ておむつを構成する外装体であって、前弾性部材と後弾性部材が配置されていない状態の外装体を用意する。この弾性部材が配置されていない状態の外装体の前側端部におけるサイド接合部１１間の距離を測定する。この外装体の前側端部におけるサイド接合部１１間の距離をＬ１１とする。また、弾性部材が配置されていない状態の外装体の後側端部におけるサイド接合部１１間の距離を測定する。外装体の後側端部におけるサイド接合部１１間の距離をＬ１２とする。更に、前胴回り域の前後方向の寸法を測定し、この寸法をＬ１３とする。後胴回り域の前後方向の寸法を測定し、この寸法をＬ１４とする。
【００６３】
外装体の前側端部におけるサイド接合部１１間の距離Ｌ１１と外装体の後側端部におけるサイド接合部１１間の距離Ｌ１２とを合計し、その合計長さ×０．８を算出する。算出した値をＸとする。円筒の外周の長さは、Ｘとする。円筒の軸方向の長さは、Ｌ１３及びＬ１４以上とする。
【００６４】
なお、上述した使い捨ておむつ１を構成する各部材は、例えば、特開２００６−３４６４３９号公報に記載された材料を用いてもよい。
【００６５】
上述したように、本発明の実施の形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００６６】
例えば、上述した実施の形態では、パンツ型の使い捨ておむつとして説明したが、本発明は、これに限定されるものではなく、ショーツ型ナプキンであってもよい。
【００６７】
上述の実施形態では、外装弾性部材として後脚回り弾性部材を挙げて説明したが、本発明における外装弾性部材は、胴回り弾性部材等の他の弾性部材において適用することが可能である。
【００６８】
このように、本発明は、ここでは記載していない様々な実施の形態などを含むことは勿論である。従って、本発明の技術的範囲は、上述の説明から妥当な特許請求の範囲に係る発明特定事項によってのみ定められるものである。
【符号の説明】
【００６９】
１…使い捨ておむつ（吸収性物品）
３…ウエストギャザー
３Ａ…ウエスト弾性部材
５…レッグギャザー
５Ｆ…前脚回り弾性部材
５Ｒ……後脚回り弾性部材
７…胴回りギャザー
７Ａ…胴回り弾性部材
１０…表面シート
３０…吸収体裏面シート
３２…防漏サイドシート
３３…レッグサイド弾性部材
４０…吸収体
５２…直線部
５３…曲線部
５４…重畳部
５５…非重畳部
７０Ｆ…前側外装シート
７０Ｒ…後側外装シート
１００…外装センターシート
Ｓ１…前胴回り領域
Ｓ２…後胴回り領域
Ｓ３…股下領域
Ｒ１…収縮領域
【図１】
2014108270.tif 000003
【図２】
2014108270.tif 000004
【図３】
2014108270.tif 000005
【図４】
2014108270.tif 000006
【図５】
2014108270.tif 000007